(57)【要約】【課題】  本発明は、上部が開いている箱の縁をＶ字形に切り欠き、服、特に着物の襟の形に見せ、箱全体を着物に見せることを目的とする。【解決手段】  本発明は、少なくとも箱の全横幅の１／３以上の高さの、上部が開いた箱の、開いた縁の一部に、Ｖ字形の切り欠きを設け、服、特に着物（和服）の襟の形に似せたものである。  箱は、底があり側面がほぼ垂直に立ち上がったものである。Ｖ字形の切り欠きの開き角度は、１２０°〜３０°の範囲とし、切り欠き部の幅は、箱の全横幅の２０％〜８０％の長さとする。【選択図】図１
2019151356.tif 000002
【特許請求の範囲】
【請求項１】
底があり側面がほぼ垂直に立ち上がった箱で、
少なくとも箱の全横幅の１／３以上の高さのある、上部が開いた箱であって、
開いた縁の一部に、Ｖ字形の切り欠きが設けられ、
Ｖ字形切り欠き部の開き角度は１２０°〜３０°の範囲で、切り欠き部の幅は箱の全横幅の８０％〜２０％の長さであることを特徴とする箱。
【発明の詳細な説明】
【技術分野】
【０００１】
本発明は、上部が開いている箱の形に関するものである。
【背景技術】
【０００２】
上部が開いている箱は様々なものがあり、また開いている縁に、円形の下半分の半円形の切り欠きを設け、引手としているものなどがある。
【先行技術文献】
【特許文献】
【０００３】
【特許文献１】特許第3971830号公報
【発明の概要】
【発明が解決しようとする課題】
【０００４】
本発明は、上部が開いている箱の縁をＶ字形に切り欠き、服、特に着物の襟の形に見せ、箱全体を着物に見せることを目的とする。
【課題を解決するための手段】
【０００５】
本発明は、底があり側面がほぼ垂直に立ち上がった箱で、少なくとも箱の全横幅の１／３以上の高さのある、上部が開いた箱で、開いた縁の一部に、Ｖ字形の切り欠きが設けられ、服、特に着物（和服）の襟の形に似せたものである。
Ｖ字形の切り欠きの開き角Aは、１２０°〜３０°の範囲とし、切り欠き部の幅Ｃは、箱の全横幅の２０％〜８０％の長さとする。
【０００６】
Ｖ字形の切り欠きは、１つの面を切り欠いたものや２つの面のコーナー部を切り欠いたものでもよいが、縁が傾いた下前身頃と、逆方向に傾いた上前身頃を重ねて、傾いた縁を交差させることでＶ字形の切り欠きを作ったものでもよい。
前身頃とは、着物に見立てた本発明のＶ字形の切り欠きがある箱の前面の箱材のことを言う。
【発明の効果】
【０００７】
本発明は、Ｖ字形の切り欠きが着物の襟の形に見え、そのため箱全体が着物に見えるようになり、単に物を入れる箱が、日本文化を取り入れた飾り箱として新たな価値が加わったものになる。
【図面の簡単な説明】
【０００８】
【図１】実施の形態１の箱の斜視図
【図２】実施の形態２の箱の斜視図
【図３】実施の形態３で、実施の形態１の箱を重ねて入れた斜視図
【図４】実施の形態４で、実施の形態２の箱を重ねて入れた斜視図
【図５】実施の形態５の箱を示す斜視図で、Ａは上前身頃を閉じたところ、Ｂは上前身頃を開けたところを示す
【図６】実施の形態６で、実施の形態５の箱に帯つけたところの斜視図
【図７】実施の形態７の箱を示す斜視図で、Ａは下前身頃と上前身頃を閉じたところ、Ｂは上前身頃を開けたところ、Ｃは下前身頃と上前身頃を開けたところを示す
【図８】実施の形態８を示す斜視図で、Ａは四角柱の箱人形を本発明の箱を重ね入れた中に入れたところ、Ｂは箱人形に箱髪を被せたところを示す
【図９】実施の形態９を示す斜視図
【図１０】実施の形態１０を示す斜視図
【図１１】実施の形態１１を示す斜視図
【発明を実施するための形態】
【０００９】
図１は、実施の形態１を示す図で、角柱の箱１の上部１-２の縁１-３の一辺に、Ｖ字形の切り欠き２を設けたもので、Ｖ字形の切り欠きの開き角Ａは９０°である。切り欠き部の幅Ｃは、箱１の全幅の５５％の長さである。
箱１は紙箱（貼箱）で、小紋の友禅紙などを箱の表面に貼りつけると、Ｖ字形の切り欠き２が着物の襟に見え、全体として人形の着物に見える。
【００１０】
図２は、実施の形態２を示す図で、角柱の箱１の上部１-２のコーナー部１-４の縁１-３に、Ｖ字形の切り欠き２を設けたもので、Ｖ字形の切り欠きの開き角Ａはａ＋ｂで９０°である。
【００１１】
図３は、実施の形態３で、大きさの異なる実施の形態１の箱１を重ね入れたところを示す図である。襟が重なり、十二単や雛人形のように着物を重ね着したように見える。
内側の箱１は、その外側の箱１より少し高くし、Ｖ字形の切り欠き２を少し小さくして、重なる襟がきれいに見えるようにしている。
【００１２】
図４は、実施の形態４で、大きさの異なる実施の形態２の箱１を重ね入れたところを示す図で、実施の形態３同様、十二単や雛人形のように着物を重ね着したように見える。
【００１３】
図５は、実施の形態５で、箱１の下前身頃１-５１の傾いた縁と、上前身頃１-５２の逆方向に傾いた縁が重なって交差し、Ｖ字形の切り欠き２を作っている。下前身頃１-５１は固定されているが、上前身頃１-５２は、ヒンジ部１-６で折り曲がる構造になっている。
上前身頃１-５２が動くので、より着物らしく見える。
【００１４】
図６は、実施の形態６で、実施の形態５の箱１に、輪になった角筒を帯に見立てて、上前身頃１-５２を閉じた箱１に被せたもので、帯３が上前身頃１-５２が開くのを押えている。帯３が付くことでさらに着物らしく見える。
【００１５】
図７は、実施の形態７で、箱１の下前身頃１-５１の傾いた縁と、上前身頃１-５２の逆方向に傾いた縁が重なって交差し、Ｖ字形の切り欠きを作っているのは、実施の形態５と同様であるが、下前身頃１-５１がヒンジ部１-６で折り曲がり、上前身頃１-５２も別のヒンジ部１-６で折り曲がる構造になっている。
下前身頃１-５１と上前身頃１-５２の両方が開くので、より着物らしく見える。さらに、下前身頃１-５１と上前身頃１-５２の両方を開けると、前面から物を入れることができる、新しい形、新しい機能の容器となっている。また、箱１の底に緩衝材などを入れる場合もその調整がし易い。
【００１６】
図８は、実施の形態８で、実施の形態３の重ね入れた箱１に実施の形態６に示す帯３をつけたもので、図Ａは最も内側の箱１の中に、四角柱の箱人形４を入れたもの、図Ｂはその箱人形４に人形の箱髪５を被せた舞妓人形である。
本発明は、紙箱だけでできた舞妓人形で、飾り箱としても容器としても利用でき、京都観光のお土産などに適している。
【００１７】
図９は、実施の形態９で、比較的浅い本発明の箱を重ね入れたもので、まん中の箱１に首形人６を入れ、雛人形にしたものである。上前身頃１-５２の箱１の下に届く襟の線は、模様の線で、上前身頃１-５２は開かない。
【００１８】
図１０は、実施の形態１０で、比較的細長い円筒形の本発明の箱１を重ね入れたもので、まん中の箱に首人形６を入れ、立ち雛人形にしたものである。帯３は丸いドーナッツ形の輪になっている。
【００１９】
図１１は、実施の形態１１で、箱１は円筒形である。Ｖ字形の切り欠き２のエッジ部２-２に丸みを待たせて、着物の襟ではなく洋服の首周りに似せている。これにより、洋人形の服としても利用できる。
【符号の説明】
【００２０】
１    箱
１-２    箱の上部
１-３    縁
１-４    コーナー部
１-５    前身頃
１-５１    下前身頃
１-５２    上前身頃
１-６    ヒンジ部
２    Ｖ字形の切り欠き
2-２    エッジ部
３      帯
４    箱人形
５    箱髪
６    首人形
Ａ    Ｖ字形の切り欠きの開き角
ａ、ｂ    箱面上のＡの分割角
Ｃ    切り欠き部の幅
【図１】
2019151356.tif 000003
【図２】
2019151356.tif 000004
【図３】
2019151356.tif 000005
【図４】
2019151356.tif 000006
【図５】
2019151356.tif 000007
【図６】
2019151356.tif 000008
【図７】
2019151356.tif 000009
【図８】
2019151356.tif 000010
【図９】
2019151356.tif 000011
【図１０】
2019151356.tif 000012
【図１１】
2019151356.tif 000013